(57)【要約】【課題】十字ボタン３を押し操作して、この十字ボタン３の背部に取り付けられている４個のスイッチ６のいずれか１つをオンにして、液晶表示部２に表示された複数の制御項目の中から所望の制御項目を選択する場合、十字ボタン３の斜めの位置を押すと２個のボタン６が連続してオンになり、所望しない制御項目が選択されるおそれが生じる。【解決手段】１つのスイッチ６がオンになってもそのスイッチ操作を直ちに受け付けず、所定時間内に他のスイッチ６がオンにならない場合にスイッチ操作を受け付けるようにした。なお、所定時間内に２つ目のスイッチ６がオンになると両方のスイッチ６に対するスイッチ操作を共に受け付けないようにした。【選択図】  図２
2005098634.tif 000002
【特許請求の範囲】
【請求項１】
給湯装置の作動を制御するリモコン装置であって、前面に押し操作されるボタン部材を有し、この押しボタンの押し位置によって各々オンされる複数のスイッチ部材を、このボタン部材の背面側に設置したものにおいて、上記複数のスイッチ部材の内いずれか１つのスイッチ部材がオンされると所定時間このスイッチ部材がオンされたことを保留する保留手段と、この保留手段が保留している状態で他のいずれかのスイッチ部材がオンされた場合に、両スイッチ部材がオンされたことを共にキャンセルするキャンセル手段を備えたことを特徴とするリモコン装置。
【請求項２】
上記前面にはボタン部材の他に液晶表示部を備えており、この液晶表示部には給湯に関する制御項目が複数表示され、ボタン部材の押し位置によってこれら制御項目のうち所望の制御項目を選択するようにしたことを特徴とする請求項１に記載のリモコン装置。
【請求項３】
上記液晶表示部にテレビ画像を表示させるテレビ画像表示手段を備え、このテレビ画像についての設定を上記ボタン部材に対する押し操作により行うことを特徴とする請求項２に記載のリモコン装置。
【発明の詳細な説明】
【技術分野】
【０００１】
本発明は、例えば屋外に設置された給湯装置の作動を、浴室内や台所から制御するリモコン装置に関する。
【背景技術】
【０００２】
従来のリモコン装置は、前面に相互に独立した押しボタンを複数備えており、給湯温度の設定や、浴室内の浴槽に対する自動湯張り開始などの制御操作をこれら複数の押しボタンを押し操作することによって行っていた（特許文献１参照）。
【０００３】
また、給湯装置の作動を制御するリモコン装置としての機能の他に、液晶表示部を前面に設けて、この液晶表示部にテレビ画像を表示させるようにしたリモコン装置が知られている（特許文献２参照）。このように液晶表示部を備えたリモコン装置であっても、上記特許文献１に記載された従来のリモコン装置と同様に、前面に設けられた複数の押しボタンを押し操作することにより給湯装置の作動を制御するように構成されている。
【特許文献１】特開平９−３２０３９２号公報（図２，図９）
【特許文献２】特開平９−１７２６８９号公報（図２）
【発明の開示】
【発明が解決しようとする課題】
【０００４】
上記従来のリモコン装置では、例えば液晶表示部に複数種類の制御項目を表示させ、それら制御項目の中から所望するものを選択する場合、複数の押しボタンを押し操作する必要がある。そのため、１つの押しボタンを押し操作してから他の押しボタンを押し操作する際に、指を押しボタン間で移動させなければならない煩わしさが生じる。
【０００５】
このような場合には、例えば相互に交差する十字方向に傾くことのできる十字ボタンを用い、この十字ボタンの背部に４個のスイッチ部材を配置することが考えられる。このように構成すると、制御項目を選択する際には十字ボタンの押し位置を変えることによってオンになるスイッチ部材を変更することができるので、制御項目を選択する作業をスムーズに行うことができる。
【０００６】
ただし、このような十字ボタンでは１つの十字ボタンで複数のスイッチ部材をオンにすることができるので、所望する方向に位置するスイッチ部材をオンにしようと十字ボタンを押し操作しても、その直後に他の方向に位置するスイッチ部材を誤ってオンにする場合が生じる。このような場合に、仮にあとからのスイッチ部材のオン状態を優先すると、意図した制御項目以外の制御項目を選択してしまうという状態が生じ、望ましくない。
【０００７】
そこで本発明は、上記の問題点に鑑み、十字ボタンを用いた場合のように、複数のスイッチ部材が連続してオンになる場合であっても、予期しない制御項目が選択されることのないリモコン装置を提供することを課題とする。
【課題を解決するための手段】
【０００８】
上記課題を解決するために本発明によるリモコン装置は、給湯装置の作動を制御するリモコン装置であって、前面に押し操作されるボタン部材を有し、この押しボタンの押し位置によって各々オンされる複数のスイッチ部材を、このボタン部材の背面側に設置したものにおいて、上記複数のスイッチ部材の内いずれか１つのスイッチ部材がオンされると所定時間このスイッチ部材がオンされたことを保留する保留手段と、この保留手段が保留している状態で他のいずれかのスイッチ部材がオンされた場合に、両スイッチ部材がオンされたことを共にキャンセルするキャンセル手段を備えたことを特徴とする。
【０００９】
複数のスイッチ手段の内、いずれか１つのスイッチ手段がオンになると従来ではそのスイッチ手段がオンされたことは直ちに制御装置に入力され、所定の制御動作が開始される。本発明ではいずれかのスイッチ手段がオンされても所定時間そのオンされたことを保留し、所定時間保留されている間に他のスイッチ手段がオンされたら、双方のスイッチ手段共にオンされたことをキャンセルすることにより、予期しない制御項目が選択されることを防止するようにした。
【００１０】
なお、上記前面にはボタン部材の他に液晶表示部を備えており、この液晶表示部には給湯に関する制御項目が複数表示され、ボタン部材の押し位置によってこれら制御項目のうち所望の制御項目を選択するように構成すれば、複数種類の制御項目を鮮明に液晶表示部に表示させることができる。
【００１１】
また、上記液晶表示部にテレビ画像を表示させるテレビ画像表示手段を備え、このテレビ画像についての設定を上記ボタン部材に対する押し操作により行うように構成してもよい。
【発明の効果】
【００１２】
以上の説明から明らかなように、本発明は、複数のスイッチ手段が所定時間内に連続してオンされた場合には、スイッチ手段がオンされたことを双方のスイッチ手段共にキャンセルするので、予期しない制御項目が選択されることを防止することができる。
【発明を実施するための最良の形態】
【００１３】
図１を参照して、１は図外の給湯装置の作動を制御する風呂リモコンである。この風呂リモコン１は浴室内の壁面に固定されており、通信線１１を介して給湯装置に接続されている。また、この風呂リモコン１は給湯装置のリモコンとしての機能の他にテレビ受像器としての機能もあわせて備えている。
【００１４】
風呂リモコン１の前面には液晶表示部２が設けられている。この風呂リモコン１をリモコンとして機能させる際にはリモコン側のスイッチ１２をオンにする。一方、テレビ受像器として機能させる際にはテレビ側のスイッチ１３をオンにさせる。また、両スイッチ１２，１３の間に位置して十字ボタン３が取り付けられている。
【００１５】
スイッチ１２をオンにすると液晶表示部２にはリモコン用の画面が表示される。リモコン用の画面には給湯装置の制御に関する制御項目が複数表示される。制御項目としては、図に示す「給湯温度」や「たし湯」、「ぬる湯」等である。これら複数の制御項目２ｂの内、十字ボタン３を押し操作して１つの制御項目２ａを選択する。例えば図示のように「給湯温度」という制御項目が選択されていれば給湯温度を具体的に設定できる画面が表示される。
【００１６】
つぎに風呂温度を設定したい場合には十字ボタン３の右側を押して「ふろ温度」という制御項目を選択し、ふろ温度を具体的に設定できる画面を表示させる。なお、２ｃで示す「各種設定」を選択すると液晶表示部２の表示画面が、他の設定モード用の画面に切り替わる。
【００１７】
図２を参照して、風呂リモコン１内にはプリント配線板４が内蔵されている。このプリント配線板４には上記液晶表示部２が取り付けられている。そして、さらに制御用のマイコン５が取り付けられている。また、十字ボタン３の後方に位置して左右及び上下方向に各々１対のスイッチ６が取り付けられている。したがって、十字ボタン３の上下及び左右位置を各々押し操作すると、これら４つのスイッチ６の内のいずれか１つがオンになる。
【００１８】
これらスイッチ６はおのおのマイコン５に接続されており、オンになったスイッチ６からマイコン５は十字ボタン３の押された位置を判断して液晶表示部２の表示内容を変更する。
【００１９】
図３を参照して、マイコン５は上記４つのスイッチ６のうち、いずれかのスイッチ６が押されることを待っている（Ｓ１）。いずれかのスイッチ６が押されてオンになると、従来であればマイコン５はオンにされたスイッチ操作を受け付けて所定の制御を行うが、本発明ではこの時点ではまだオンにされたスイッチ操作を受け付けず、そのかわり、マイコン５に内蔵されているタイマーをスタートする（Ｓ２）。このタイマーは所定時間経過するとタイムアップするもので、例えば数十ミリ秒程度でタイムアップするように設定されている。
【００２０】
このタイマーがタイムアップするまでに他のスイッチ６がオンにならなければ（Ｓ３，Ｓ４）、その時点で初めてスイッチ操作を受け付ける（Ｓ５）。ところが、タイマーがタイムアップする前に他のスイッチ６がオンになると、先にオンになった押しボタンに対するスイッチ操作と、タイムアップするまでに行われた２度目のスイッチ操作の双方共にキャンセルし（Ｓ６）、受け付けることなく、再度スイッチ操作が改めて行われるまで待機する（Ｓ１）。
【００２１】
このように、所定時間が経過してタイマーがタイムアップするまでに２個のスイッチ６がオンになる場合とは、十字ボタン３の押し位置が上下左右の位置からずれて斜めの位置が押された場合が考えられる。その場合には、押し操作した者はあくまで上下左右位置のいずれかを押したつもりである。このように２個の押しボタンが所定時間内にオンになった場合、何れのスイッチ操作もキャンセルすることにより、予期せぬ方向の制御項目が選択されることを防止できる。
【００２２】
なお、上述のように所定時間を数十ミリ秒程度の短い時間に設定しておくと、意識して２方向のスイッチ６が続けてオンにされた場合には、両方のスイッチ操作が受け付けられ、操作上違和感を感じることはない。
【００２３】
本発明は上記した形態に限定されるものではなく、本発明の要旨を逸脱しない範囲内において種々の変更を加えてもかまわない。
【図面の簡単な説明】
【００２４】
【図１】本発明の一実施の形態の構成を示す図
【図２】十字ボタンの詳細を示す部分斜視図
【図３】スイッチ操作の受付内容を示すフロー図
【符号の説明】
【００２５】
１ 風呂リモコン
２ 液晶表示部
２ａ 制御項目
２ｂ 制御項目
３ 十字ボタン
４ プリント配線板
５ マイコン
６ スイッチ
１１ 通信線
【図１】
2005098634.tif 000003
【図２】
2005098634.tif 000004
【図３】
2005098634.tif 000005